(57)【要約】【課題】貯蔵室の上部から当該貯蔵室内に冷気を供給する構成の冷蔵庫において、貯蔵室内に供給される冷気を当該貯蔵室内に効率良く行き渡らせる。【解決手段】本実施形態に係る冷蔵庫は、貯蔵室と、冷気供給部と、冷気ダクトと、を備える。冷気供給部は、前記貯蔵室の上部から当該貯蔵室内に冷気を供給する。冷気ダクトは、前記貯蔵室内に設けられ、前記冷気供給部から供給される冷気が流れる。そして、前記冷気ダクトは、前記冷気供給部から供給される冷気を分岐させる分岐部を有する。【選択図】図９
2015152276.tif 000002
【特許請求の範囲】
【請求項１】
貯蔵室と、
前記貯蔵室の上部から当該貯蔵室内に冷気を供給する冷気供給部と、
前記貯蔵室内に設けられ、前記冷気供給部から供給される冷気が流れる冷気ダクトと、
を備え、
前記冷気ダクトは、前記冷気供給部から供給される冷気を分岐させる分岐部を有する冷蔵庫。
【請求項２】
前記分岐部は、前記冷気供給部から供給される冷気を、少なくとも、前方へ向かう流れと下方に向かう流れとに分岐させる請求項１に記載の冷蔵庫。
【請求項３】
前記冷気ダクトは、
前記冷気供給部に対向し、且つ、前記貯蔵室内に膨らむ膨出部と、
前記膨出部から前方に延びる延出部と、
を備え、
前記延出部は、開口を有する構成であり、
前記膨出部は、前記延出部の開口よりも少ない開口を有する構成または開口を有しない構成である請求項１または２に記載の冷蔵庫。
【請求項４】
前記貯蔵室内において前記冷気ダクトの下方に設けられ、前後方向にスライド可能に構成された棚を備え、
前記延出部の開口は、前記棚よりも前方に位置している請求項３に記載の冷蔵庫。
【請求項５】
前記棚は、立てた状態で貯蔵される貯蔵物を覆うカバー部を備える請求項４に記載の冷蔵庫。
【請求項６】
前記棚が最も後方にスライドされた状態において、前記カバー部は、その前端が前記膨出部の前端と同じ位置または前記膨出部の前端よりも後側の位置となる請求項５に記載の冷蔵庫。
【請求項７】
前記棚が最も後方にスライドされた状態において、前記貯蔵室の側壁部のうち前記棚よりも前方となる位置に操作部を備え、
前記操作部は、それぞれ異なる色を出力する複数の表示部を有する請求項４から６の何れか１項に記載の冷蔵庫。
【請求項８】
前記表示部は、運転状況に応じて、それぞれ異なる色を出力する請求項７に記載の冷蔵庫。
【請求項９】
前記操作部は、その周囲に枠部を備え、その枠部の内側に、操作に関する情報が記載された操作情報提示部材を備える請求項７または８に記載の冷蔵庫。
【請求項１０】
前記冷気供給部は、前記貯蔵室内に冷気を流出させる流出口を備え、
前記流出口は、前記延出部が延びる方向の延長線上に位置している請求項２から９の何れか１項に記載の冷蔵庫。
【請求項１１】
前記流出口に対向し、当該流出口から流出する冷気の流れを調整する調整部を備える請求項１０に記載の冷蔵庫。
【請求項１２】
前記膨出部は、前記延出部との間に傾斜部を備えており、
前記調整部は、前記傾斜部に対向している請求項１１に記載の冷蔵庫。
【請求項１３】
前記延出部の開口よりも前方に、前記貯蔵室内の冷気を排出する冷気排出部を備える請求項２から１２の何れか１項に記載の冷蔵庫。
【請求項１４】
冷蔵庫本体内を区画して前記貯蔵室を形成する仕切り部と、
前記仕切り部の内部に設けられ、前記貯蔵室内に供給する冷気の供給量を調整するダンパと、
を備える請求項１から１３の何れか１項に記載の冷蔵庫。
【請求項１５】
冷気を発生する冷却器を除霜する除霜手段を備え、
前記ダンパは、前記除霜手段の近傍に設けられている請求項１４に記載の冷蔵庫。
【請求項１６】
前記ダンパは、下方から着脱可能に設けられている請求項１４または１５に記載の冷蔵庫。
【請求項１７】
前記ダンパを固定するためのカバー部材を備え、
前記カバー部材は、開口を有する構成である請求項１４から１６の何れか１項に記載の冷蔵庫。
【発明の詳細な説明】
【技術分野】
【０００１】
本発明の実施形態は、冷蔵庫に関する。
【背景技術】
【０００２】
例えば特許文献１に開示されている冷蔵庫は、貯蔵室である冷蔵室の上部から当該冷蔵室内に冷気を供給する構成となっている。この種の冷蔵庫においては、貯蔵室内に供給される冷気を当該貯蔵室内に効率良く行き渡らせるための工夫が求められる。
【先行技術文献】
【特許文献】
【０００３】
【特許文献１】特開平４−２８１１７３号公報
【発明の概要】
【発明が解決しようとする課題】
【０００４】
本実施形態は、貯蔵室の上部から当該貯蔵室内に冷気を供給する構成において、貯蔵室内に供給される冷気を当該貯蔵室内に効率良く行き渡らせることができる冷蔵庫を提供する。
【課題を解決するための手段】
【０００５】
本実施形態に係る冷蔵庫は、貯蔵室と、冷気供給部と、冷気ダクトと、を備える。冷気供給部は、前記貯蔵室の上部から当該貯蔵室内に冷気を供給する。冷気ダクトは、前記貯蔵室内に設けられ、前記冷気供給部から供給される冷気が流れる。そして、前記冷気ダクトは、前記冷気供給部から供給される冷気を分岐させる分岐部を有する。
【図面の簡単な説明】
【０００６】
【図１】本実施形態に係る冷蔵庫の全体構成の一例を示す正面図（その１）
【図２】本実施形態に係る冷蔵庫の全体構成の一例を示す正面図（その２）
【図３】本実施形態に係る冷蔵庫の全体構成の一例を示す縦断側面図
【図４】本実施形態に係る冷気供給部およびその周辺部分の一例を示す縦断側面図
【図５】本実施形態に係る冷蔵庫の内部を概略的に示す斜視図
【図６】本実施形態に係る仕切り壁およびその周辺部分の一例を分解して示す斜視図
【図７】本実施形態に係る仕切り壁、冷気ダクトおよびその周辺部分の一例を分解して示す斜視図
【図８】本実施形態に係るダンパおよびその周辺部分の一例を示す縦断正面図
【図９】本実施形態に係る冷気ダクトの一例を示す斜視図
【図１０】本実施形態に係る操作部の一例を示す正面図
【発明を実施するための形態】
【０００７】
以下、冷蔵庫に係る一実施形態について図面を参照しながら説明する。例えば図１に示す冷蔵庫１０は、前面が開口された縦長の断熱箱体１１を備える。断熱箱体１１は、例えば鋼板製の外箱と例えば真空成形により設けられる合成樹脂製の内箱との間に断熱材を備えた構成である。断熱材としては、例えばウレタンなどを発泡させたものや、真空断熱パネルなどが採用される。断熱箱体１１の内部は、仕切り部の一例である仕切り壁１２によって複数の貯蔵室に区画されている。この場合、断熱箱体１１の内部は、２つの貯蔵室に区画されており、仕切り壁１２の上部には、貯蔵室の一例として冷凍室１３が形成され、仕切り壁１２の下部には、貯蔵室の一例として冷蔵室１４が形成されている。なお、冷凍室１３の前面には、当該冷凍室１３を開閉する図示しない冷凍室用の扉が回動可能に設けられる。また、冷蔵室１４の前面には、当該冷蔵室１４を開閉する図示しない冷蔵室用の扉が回動可能に設けられる。
【０００８】
例えば図２，図３に示すように、冷凍室１３の裏側には冷気発生室１５が設けられている。そして、この冷気発生室１５の内部には、冷気を発生するための冷却器１６、および、この冷却器１６が発生する冷気を貯蔵室内に送風するための送風ファン１７などが備えられている。なお、冷却器１６は、図示しない凝縮器、圧縮機、絞り弁などとともに周知の冷凍サイクル機構を構成している。
【０００９】
また、例えば図４に示すように、仕切り壁１２の内部には、冷気供給部１８が設けられている。この場合、冷気供給部１８は、冷蔵庫１０を前方から見て、仕切り壁１２の右側後部の内部に設けられている。冷気供給部１８は、上下に区画された冷凍室１３と冷蔵室１４とを連通する連通路１９に、ダンパ２０を備えている。この場合、ダンパ２０は、冷凍室１３から冷蔵室１４内に冷気を流出させる出口となる流出口２１に位置して取り付けられている。
【００１０】
例えば図５には、冷蔵庫１０内に実現される冷気の流れの一例を模式的に示している。即ち、冷却器１６が発生する冷気は、送風ファン１７による送風作用を受けて、例えば矢印Ａで示すように、主として冷凍室１３内に供給される。これにより、冷凍室１３内が冷却される。そして、冷凍室１３内に供給された冷気の一部は、送風ファン１７による送風作用を受けることにより、あるいは、冷気自体の重さにより、例えば矢印Ｂで示すように、冷気供給部１８に向かって流れる。そして、冷凍室１３内に供給された冷気の一部は、例えば矢印Ｃで示すように、冷気供給部１８から冷蔵室１４内に流れる。即ち、冷蔵庫１０は、冷凍室１３内に供給された冷気の一部が冷気供給部１８を介して冷蔵室１４内に供給される構成であり、これにより、冷蔵室１４内が冷却される。
【００１１】
そして、冷気供給部１８においてダンパ２０の開度が適宜調整されることにより、冷凍室１３から冷蔵室１４に流れる冷気の供給量が適宜調整される。即ち、ダンパ２０の開度を絞ることにより、冷凍室１３から冷蔵室１４に流れる冷気の供給量を減らすことができ、一方、ダンパ２０の開度を緩めることにより、冷凍室１３から冷蔵室１４に流れる冷気の供給量を増やすことができる。なお、ダンパ２０の駆動は、例えば冷蔵庫１０の動作全般を制御する図示しない制御装置により制御される。
【００１２】
また、例えば図４に示すように、連通路１９を上流側として流出口２１よりも下流側となる部分には、上方に向かって窪んだ調整部２２が形成されている。この調整部２２は、仕切り壁１２の後方下部を上方に削るようにして形成されたものであり、従って、冷蔵室１４の後方上部に位置している。そして、この調整部２２の前部は、流出口２１に対して前方から対向しており、しかも、上方から下方に向かって滑らかに湾曲している。従って、流出口２１から流出される冷気は、調整部２２に案内されることで、その流れが下方に向かうように調整されるようになっている。
【００１３】
また、例えば図６，図７に示すように、ダンパ２０は、仕切り壁１２の下方から着脱可能に取り付けられる。そして、例えば図８に示すように、取り付けられたダンパ２０は、例えば発泡スチロールなどで構成される絶縁物２３を介して、固定カバー２４により下方から支えられた状態で固定される。固定カバー２４は、カバー部材の一例であり、爪部２４ａおよびねじ止め部２４ｂを有する。固定カバー２４は、爪部２４ａを冷蔵庫１０の内箱に係合させることにより、および、ねじ止め部２４ｂに図示しないねじが下方からねじ込まれることにより、仕切り壁１２の下面に取り付けられる。
【００１４】
そして、この固定カバー２４は、例えば図４，図７に示すように、調整部２２内と冷蔵室１４内とを連通するための開口２４ｃを有する。この開口２４ｃは、この場合、下方に向かって開いている。なお、例えば図８に示すように、冷却器１６の近傍には当該冷却器１６に付着した霜を除去つまり除霜するためのヒータ２５が設けられている。このヒータ２５は、除霜手段の一例である。そして、ダンパ２０は、このヒータ２５の近傍に位置している。そのため、ヒータ２５からの熱により、ダンパ２０の結露あるいは氷結を防止できる。なお、この場合、ダンパ２０は、ヒータ２５の側部近傍に位置している。
【００１５】
また、例えば図３に示すように、仕切り壁１２の内部には、戻りダクト２６が設けられている。この場合、戻りダクト２６は、仕切り壁１２の左右方向のほぼ中央部において前後方向に延びるように設けられている。この戻りダクト２６の入口部２６ａは、冷蔵室１４の上面前部に設けられている。この場合、戻りダクト２６の入口部２６ａは、少なくとも、延出部３４の前端の開口３４ｃよりも前方に設けられている。一方、戻りダクト２６の出口部２６ｂは、冷気発生室１５に連通されている。そして、冷蔵室１４内の冷気は、この戻りダクト２６を通って冷気発生室１５に戻る。即ち、この戻りダクト２６は、冷蔵室１４内の冷気を当該冷蔵室１４の外部に存在する冷気発生室１５に排出する冷気排出部の一例として機能する。
【００１６】
以上の通り、本実施形態に係る冷蔵庫１０は、冷蔵室１４の上部から当該冷蔵室１４内に冷気供給部１８を介して冷気が供給される構成である。そして、この冷蔵庫１０には、冷気供給部１８から冷蔵室１４内に供給される冷気を当該冷蔵室１４内に効率良く行き渡らせるための工夫が施されている。
即ち、例えば図３，図７に示すように、冷蔵室１４の内部には、冷気ダクト３０が設けられている。例えば図９に示すように、冷気ダクト３０は、冷蔵室１４の上面に取り付けられる上面ダクト３１と、冷蔵室１４の後面に取り付けられる後面ダクト３２とからなる。上面ダクト３１は、膨出部３３と延出部３４を有する。膨出部３３は、冷気供給部１８に対向して若干の隙間を有して配置されるものであり、且つ、冷蔵室１４の内方に向かって膨らんでいる。
【００１７】
そして、この膨出部３３は、冷気供給部１８の下方に位置する部分に分岐部３５を有する。この分岐部３５は、開口を有しない板状となっており、例えば図９に破線矢印Ｒ１で示す冷気の流れ、つまり冷気供給部１８から供給される冷気の流れを、少なくとも、例えば破線矢Ｒ１で示す冷気の流れ、つまり延出部３４側である前方へ向かう流れと、例えば破線矢印Ｒ２で示す冷気の流れ、つまり後面ダクト３２側である下方に向かう流れとに分岐させる。即ち、冷気供給部１８から供給される冷気は、固定カバー２４の開口２４ｃから下方に向かって流れて分岐部３５に当たる。そして、その流下する冷気が分岐部３５に上方から当たることにより、当該冷気に乱流が発生するようになる。これにより、冷気供給部１８から流下する冷気が、分岐部３５を分岐領域として延出部３４側および後面ダクト３２側にそれぞれ分岐されるようになる。
【００１８】
また、分岐部３５の後端には当該分岐部３５の側部から中央に向かって先細状に延びる堰部３５ａが形成されている。この堰部３５ａにより、分岐部３５の上面は、前側つまり延出部３４側に向かう風路が広く、後側つまり後面ダクト３２側に向かう風路が狭くなった構成となっている。また、膨出部３３は、延出部３４との間に傾斜部３６を有する。この傾斜部３６は、分岐部３５の前端と延出部３４の後端との間を滑らかに連結するように傾斜している。そして、この傾斜部３６と調整部２２とは、相互に上下方向に対向する位置に備えられる。また、この傾斜部３６には、例えば図７に示すように、複数の開口３６ａが形成されている。なお、冷気供給部１８から分岐部３５に流下した冷気は、上述したように乱流状態となる。よって、この乱流による作用を受けて、分岐部３５に流下した冷気の一部は、分岐部３５から傾斜部３６を上るようにして延出部３４側に流れる。また、この乱流による作用を受けて、分岐部３５に流下した冷気の残部は、分岐部３５から後面ダクト３２側に押されるようにして流れる。そして、後面ダクト３２の上端に到達した冷気は、その自重による作用も受けて、当該後面ダクト３２内を流下していく。
【００１９】
延出部３４は、膨出部３３の前端となる傾斜部３６の前端から前方に延びている。この延出部３４は、ほぼ板状に形成されており、その上面に、前後方向に延びるリブ３４ａを有する。また、延出部３４は、リブ３４ａの間に複数の開口３４ｂを有する。これら開口３４ｂは、左右方向に延びるスリット状に形成されている。また、延出部３４の前端には、複数の開口３４ｃが形成されている。これら開口３４ｃは、それぞれリブ３４ａの間に対向して、左右方向に延びるスリット状に形成されている。冷気供給部１８から供給される冷気のうち分岐部３５によって前方へ向かう方向に分岐された冷気Ｒ１は、傾斜部３６を経て延出部３４側に流れる。そして、延出部３４側に流れる冷気は、傾斜部３６の開口および延出部３４の開口３４ｂ，３４ｃを通って冷蔵室１４内に流れ出る。そして、この延出部３４が延びる方向の延長線上に位置して、流出口２１が位置するようになっている。従って、冷蔵室１４内に供給される冷気は、流出口２１から流出した直後においては、延出部３４に向かって流れる。
【００２０】
なお、上述した膨出部３３において、少なくとも分岐部３５は、開口を有していない。また、膨出部３３において、傾斜部３６が有する開口の数は、延出部３４が有する開口の数よりも少なくなっている。よって、分岐部３５から延出部３４側に流れる冷気Ｒ１は、その全てが傾斜部３６の開口から流れ出るのではなく、その一部は延出部３４まで至る。よって、分岐部３５から延出部３４側に流れる冷気は、傾斜部３６の開口および延出部３４の開口３４ｂ，３４ｃから満遍無く流れ出るようになる。なお、分岐部３５に開口を設ける構成としてもよいが、その開口の数は極力少なくすることが好ましい。
【００２１】
後面ダクト３２は、その上端が膨出部３３の分岐部３５の後端に連結される。よって、冷気供給部１８から供給される冷気のうち分岐部３５によって下方へ向かう方向に分岐された冷気Ｒ２は、後面ダクト３２内を流下する。後面ダクト３２は、その前面に、左右方向にスリット状に延びる複数の開口３２ａを有する。よって、後面ダクト３２内を流下する冷気は、これら開口３２ａを通って冷蔵室１４内に流れ出るようになる。
【００２２】
以上の通り、本実施形態に係る冷蔵庫１０によれば、冷蔵室１４内に、分岐部３５を有する冷気ダクト３０を備えている。そして、冷気供給部１８から供給される冷気を、少なくとも、分岐部３５から前方へ向かう流れと下方に向かう流れとに分岐させる構成である。この構成によれば、冷蔵室１４内に供給される冷気を、冷蔵室１４の上面および後面から当該冷蔵室１４内に効率良く行き渡らせることができる。なお、冷気ダクト３０を構成する各部材に設けられる開口の数、位置、大きさ、形状などは適宜変更して設定することができる。また、分岐部３５が冷気を分岐させる方向は、前方および下方に限られるものではなく、例えば、左方や右方、その他の方向であってもよい。
【００２３】
さらに、本実施形態に係る冷蔵庫１０は、例えば図３に示すように、冷蔵室１４内に棚４０を備える。次に、この棚４０に関連する構成について説明する。即ち、棚４０は、冷蔵室１４内において、冷気ダクト３０の上面ダクト３１の下方であって、且つ、後面ダクト３２の上部前方に位置して設けられている。そして、この棚４０は、例えば図示しないガイドレールなどに支持されることにより、前後方向にスライド移動可能に構成されている。
【００２４】
この棚４０は、ベース部４０ａとカバー部４０ｂを備える。ベース部４０ａは、例えば食品類などからなる貯蔵物が載置される部材である。カバー部４０ｂは、ベース部４０ａの後部に設けられている。このカバー部４０ｂは、棚４０が冷蔵室１４内において最も後方にスライドされた状態において、その上面が、冷気ダクト３０の膨出部３３の下面に対向する。そして、カバー部４０ｂは、ベース部４０ａ上に立てた状態で載置された例えば飲料缶などを上方から覆う。なお、飲料缶は、立てた状態で貯蔵される貯蔵物の一例である。
【００２５】
棚４０が冷蔵室１４内において最も後方にスライドされた状態では、ベース部４０ａ上に立てた状態で載置された貯蔵物が冷気ダクト３０の一部、特に冷蔵室１４内に膨らむ膨出部３３に接触するおそれがある。そのため、貯蔵物の転倒を防止するための対策が求められる。本実施形態に係る冷蔵庫１０によれば、棚４０は、ベース部４０ａ上に立てた状態で載置された貯蔵物をカバー部４０ｂにより覆う構成である。従って、棚４０が後方に向かってスライドされる際に、あるいは、スライドされた後に、ベース部４０ａ上の貯蔵物が冷気ダクト３０に接触するおそれがなく、貯蔵物の転倒を防止することができる。
【００２６】
また、延出部３４の前端の開口３４ｃは、棚４０のベース部４０ａの前端、さらには、冷蔵室１４内に備えられる棚４０以外の棚４１，４２の前端よりも前方に位置している。ここで、特に延出部３４の前端の開口３４ｃから流れ出る冷気は、冷蔵室１４内の各種棚類の前側を流下することによりエアーカーテンを形成する。即ち、各種の食品類が載置される棚類４０，４１，４２の前側が、開口３４ｃから流下する冷気からなるエアーカーテンによって塞がれるような状態を実現することができる。
【００２７】
また、棚４０が冷蔵室１４内において最も後方にスライドされた状態において、カバー部４０ｂの前端が膨出部３３の前端と同じ位置となるように設定するとよい。また、棚４０が冷蔵室１４内において最も後方にスライドされた状態において、カバー部４０ｂの前端が膨出部３３の前端よりも後側の位置となるように設定してもよい。膨出部３３の前端には開口３６ａを有する傾斜部３６が設けられており、この傾斜部３６の開口３６ａからも冷気が流れ出る。よって、カバー部４０ｂの前端を膨出部３３の前端と同じ位置あるいは膨出部３３の前端よりも後側の位置となるように設定することにより、傾斜部３６の開口３６ａから流れ出る冷気がカバー部４０ｂによって遮られてしまうことを防止することができる。
【００２８】
さらに、本実施形態に係る冷蔵庫１０は、例えば図３に示すように、操作部５０を備える。次に、この操作部５０に関連する構成について説明する。即ち、操作部５０は、冷蔵室１４の内側壁部のうち、少なくとも棚４０の前端よりも前方となる位置に設けられている。例えば図１０に示すように、この操作部５０は、冷凍室用操作摘み５１、冷蔵室用操作摘み５２、エコモード運転用ボタン５３、急冷運転用ボタン５４、エコモード運転用表示部５５、急冷運転用表示部５６などを備える。冷凍室用操作摘み５１は、冷凍室１３の設定温度を調整するために例えばユーザによって回動操作される操作用の摘みである。冷蔵室用操作摘み５２は、冷蔵室１４の設定温度を調整するために例えばユーザによって回動操作される操作用の摘みである。
【００２９】
エコモード運転用ボタン５３は、消費電力を低くして冷蔵庫１０を運転するいわゆるエコモード運転を実施する場合に例えばユーザによって押圧操作される操作用のボタンである。つまり、このエコモード運転用ボタン５３は、消費電力が比較的小さい運転、いわゆる「弱運転」を実施する場合に押圧操作されるものである。急冷運転用ボタン５４は、冷凍室１３あるいは冷蔵室１４内を急冷する急冷運転を実施する場合に例えばユーザによって押圧操作される操作用のボタンである。つまり、この急冷運転用ボタン５４は、消費電力が比較的大きい運転、いわゆる「強運転」を実施する場合に押圧操作されるものである。
【００３０】
エコモード運転用表示部５５は、表示部の一例であり、エコモード運転中に、急冷運転用表示部５６とは異なる色を出力する。この場合、エコモード運転用表示部５５は、例えば緑色を出力する図示しない発光素子を有しており、エコモード運転中において緑色を出力する。急冷運転用表示部５６は、表示部の一例であり、急冷運転中に、エコモード運転用表示部５５とは異なる色を出力する。この場合、急冷運転用表示部５６は、例えば青色を出力する図示しない発光素子を有しており、急冷運転中において青色を出力する。なお、これら表示部５５，５６は、緑色あるいは青色を出力する構成に限られるものではなく、運転状況に応じてそれぞれ異なる色を出力する構成であれば、その出力色を適宜変更して設定することができる。また、冷蔵庫１０は、実施可能な運転モードの数に応じて、それぞれ異なる色を出力する表示部を複数備えることができる。
【００３１】
また、操作部５０は、その周囲に枠部５７を有しており、この枠部５７の内側が若干窪んだ構成となっている。そして、操作部５０は、その枠部５７の内側に操作名盤シール５８が貼り付けられた構成である。この操作名盤シール５８は、操作情報提示部材の一例である。この操作名盤シール５８には、例えば「ＴＥＭＰ．ＣＯＮＴＲＯＬ」つまり「温度制御」といった操作名など、操作に関する各種の情報が記載されている。なお、この操作名盤シール５８に記載する内容は、適宜変更して実施することができ、例えば操作に関連しない情報を記載してもよい。また、操作情報提示部材は、シールにより貼り付ける構成に限られるものではなく、例えば、枠部５７に嵌め込む構成としてもよいし、枠部５７によりねじなどにより固定する構成としてもよい。
【００３２】
以上に説明した通り、本実施形態に係る冷蔵庫は、貯蔵室と、冷気供給部と、冷気ダクトと、を備える。冷気供給部は、前記貯蔵室の上部から当該貯蔵室内に冷気を供給する。冷気ダクトは、前記貯蔵室内に設けられ、前記冷気供給部から供給される冷気が流れる。そして、前記冷気ダクトは、前記冷気供給部から供給される冷気を分岐させる分岐部を有する。この構成によれば、貯蔵室の上部から当該貯蔵室内に冷気を供給する構成の冷蔵庫において、貯蔵室内に供給される冷気を分岐させて当該貯蔵室内に効率良く行き渡らせることができる。
【００３３】
なお、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態及びその変形は、発明の範囲及び要旨に含まれるとともに、特許請求の範囲に記載された発明とその均等の範囲に含まれる。
【符号の説明】
【００３４】
図面中、１０は冷蔵庫、１２は仕切り壁（仕切り部）、１４は冷蔵室（貯蔵室）、１６は冷却器、１８は冷気供給部、２０はダンパ、２１は流出口、２２は調整部、２４は固定カバー（カバー部材）、２５はヒータ（除霜手段）、２６は戻りダクト（冷気排出部）、３０は冷気ダクト、３３は膨出部、３４は延出部、３５は分岐部、３６は傾斜部、４０は棚、４０ｂはカバー部、５０は操作部、５５はエコモード運転用表示部（表示部）、５６は急冷運転用表示部（表示部）、５７は枠部、５８は操作名盤シール（操作情報提示部材）を示す。
【図１】
2015152276.tif 000003
【図２】
2015152276.tif 000004
【図３】
2015152276.tif 000005
【図４】
2015152276.tif 000006
【図５】
2015152276.tif 000007
【図６】
2015152276.tif 000008
【図７】
2015152276.tif 000009
【図８】
2015152276.tif 000010
【図９】
2015152276.tif 000011
【図１０】
2015152276.tif 000012